(57)【要約】【課題】  端子類のハウジングへの取り付けを、ハウジング寸法を拡大することなく、かつガタ付きなく精度高く行うこと。【解決手段】  上面に平坦な係合面１を備え、両側面に係合凹部２を備え、係合凹部２に係止突起３を設けたハウジング４と、門型で、上板部５の下面を係止面５ａとし、その両側に垂下する両側板６に各々係止孔７を開口し、かつ両側板６の最下部に端子部８を備え、更に係止面５ａの四隅に下向きの突起９を配したフレーム１０とで構成し、そのフレーム１０の係止面５ａをハウジング４の係合面１に対面させ、両側板６を各係合凹部２に対応させてスライド下降させ、係止面５ａの突起９を係合面１に圧接させると同時に両側板６の各係止孔７に係合凹部２の係止突起３を進入させ、かつその水平面３ａに係止孔７の下辺を各々緊密に係止させる。【選択図】  図１
2006294311.tif 000002
【特許請求の範囲】
【請求項１】
ハウジングの係合面に端子類の係止面を近接対面させ、かつ該ハウジングの係止孔又は係止突起に端子類の係止突起又は係止孔を係止させて該ハウジングに該端子類を取り付けるハウジングへの端子類の取付構造に於いて、
前記端子類の係止面に複数の突起を構成し、前記ハウジングの係止孔又は係止突起に該端子類の係止突起又は係止孔を係止させた状態で、該突起が該ハウジングの係合面に圧接状態となるように構成したハウジングへの端子類の取付構造。
【請求項２】
前記突起として、前記係止面から半球状に突出させた半球状突起、該係止面から楕円球状に突出させた楕円球突起又は該係止面から長方形に切り起こした切り起こし突起のいずれかを採用した請求項１のハウジングへの端子類の取付構造。
【発明の詳細な説明】
【技術分野】
【０００１】
本発明は、オーディオ信号やビデオ信号の授受又は電源の授受に用いられるジャックその他の種々のコネクタに於けるハウジングへの端子類の取付構造に関する。
【背景技術】
【０００２】
この種の端子類のハウジングへの取付構造には二つのタイプがある。なおここで端子類とは、いわゆる端子の外に、コネクタ類のハウジングの上面及び両側部の全部又は一部を覆う状態に配される概ね門型をなし、その両側下端に、該コネクタ類の取付対象である基板の対応する部位に接合して電気的に結合され得る端子部を備えたフレーム部材をも含むものとする。
【０００３】
その一は、ハウジングに端子類の挿入用の溝又はスリット等を形成し、その中に側辺に鏃状突起を形成した端子類を強圧挿入し、該鏃状突起を該溝等の底面に食い込ませてその挿入状態を固定する取付構造である。
【０００４】
その二は、ハウジング又は端子類のいずれかに係止突起を、他方に該係止突起に係止する係止孔を、それぞれ形成し、該係止突起を該係止孔の周縁に係止させることにより、端子類をハウジングに取り付ける取付構造である。
【０００５】
その一の取付構造によれば、端子類はハウジングに正確に位置決めしつつ固定することが可能であるが、ハウジングの内部に溝又はスリット等を形成し、これに端子類を取り付けるものであるため、必然的にハウジング寸法が大きくなるという問題がある。
【０００６】
またその二の取付構造によれば、端子類を一定方向に引きながら又は押しながらその係止孔又は係止突起をハウジングの係止突起又は係止孔に係止させることにより、該端子類を該ハウジングに取付固定することになるものである。そして該係止孔と係止突起との係止状態は、その状態に於いて、端子類のいずれかの面がハウジングのいずれかの面に当接する等により、該一定方向にそれ以上には移動できないようになっていることにより保持されるものであるが、前記のような係止操作を許容する観点から、端子類とハウジングとの相互の上記対応する面には僅かのクリアランスが必要であり、これがガタとなって残る問題がある。
【０００７】
特許文献１及び２はいずれも前記その二の取付構造を備えた例である。もっとも特許文献１のスリーブターミナルは脚部（端子部）がストレートに延びた構成のものであり、端子部が基板等の対応する部位に当接接合するものではないので、前記のようなガタがあってもそれによる寸法精度の低下が殆ど問題にならない例であると思われる。
【０００８】
【特許文献１】特開平１０−６９９４５号公報（段落００３１、図１）
【特許文献２】特開２００２−１３４２３９号公報（段落００２４、図１）
【発明の開示】
【発明が解決しようとする課題】
【０００９】
本発明は、前記従来技術の問題点を解消し、端子類のハウジングへの取り付けを、ハウジング寸法を大きくすることなく、かつガタ付きをなくしながら寸法精度高く行うことができるハウジングへの端子類の取付構造を提供することを解決の課題とする。
【課題を解決するための手段】
【００１０】
本発明の１は、ハウジングの係合面に端子類の係止面を近接対面させ、かつ該ハウジングの係止孔又は係止突起に端子類の係止突起又は係止孔を係止させて該ハウジングに該端子類を取り付けるハウジングへの端子類の取付構造に於いて、
前記端子類の係止面に複数の突起を構成し、前記ハウジングの係止孔又は係止突起に該端子類の係止突起又は係止孔を係止させた状態で、該突起が該ハウジングの係合面に圧接状態となるように構成したハウジングへの端子類の取付構造である。
【００１１】
本発明の２は、本発明の１のハウジングへの端子類の取付構造に於いて、前記突起として、前記係止面から半球状に突出させた半球状突起、該係止面から楕円球状に突出させた楕円球突起又は該係止面から長方形に切り起こした切り起こし突起のいずれかを採用したものである。
【発明の効果】
【００１２】
本発明の１のハウジングへの端子類の取付構造によれば、端子類をハウジングに取り付けると、その係止面の突起がハウジングの係合面に圧接することとなるため、該突起は、該端子類を該ハウジングの係合面から離間させる方向の反作用を受ける。そのため、該端子類の係止孔又は係止突起は、前記ハウジングの係止突起又は係止孔と引き合って、相互の所定の部位で固く結合することになり、相互に正確な位置関係で固定されることになる。従って該端子類はハウジングの所定の部位にガタ付きなく精度高く取り付けられることになる。
【００１３】
その結果、ハウジングに複数の端子類を取り付けた場合には、それらの端子部を全て同一平面内に正確に位置させることが可能となり、これらの端子類を取り付けたコネクタを取付対象の基板等に取り付ける場合に、それらの端子類のいずれの端子部も該基板等の対応する部位に同時に密接させることが可能となる。
また本発明の１のハウジングへの端子類の取付構造によれば、端子類をそのハウジング内に構成した溝又はスリット等に挿入して固定するものでないため、その寸法を拡大する問題が生じる虞はない。
【００１４】
本発明の２のハウジングへの端子類の取付構造によれば、いずれも簡単な構成でありながらハウジングの係合面に対する突起の前記圧接作用で、ガタ付きの除去及び精度向上の良好な効果を得ることができる。
【発明を実施するための最良の形態】
【００１５】
本発明のハウジングへの端子類の取付構造は、ハウジングの係合面に端子類の係止面を近接対面させ、かつ該ハウジングの係止孔又は係止突起に端子類の係止突起又は係止孔を係止させて該端子類を該ハウジングに取り付ける取付構造であり、該端子類の係止面に複数の突起を設け、該複数の突起を該係止面に近接対面するハウジングの係合面に圧接するように構成したことに特徴を有する。
【００１６】
本発明の対象となる端子類は、前記のように、ハウジングの係合面に近接対面する係止面を備え、かつ該ハウジングの係止孔又は係止突起に係止する係止突起又は係止孔を備えたタイプのそれである。
【００１７】
このような端子類は、多くは門型であり、その上部中央に位置する上板部の下面を係止面とし、その両側部の高さ方向の途中のいずれかの部位に係止孔又は係止突起を構成したものとなる。コンタクト部はその上部又は側部から延長する構成となるのが普通である。また端子部は両側部の最下端に構成するのが普通である。該端子部は、前記端子類を取り付けたコネクタを取付対象の基板等に取り付けた場合に、該基板等の対応する部位に対面接触するように構成されるべきものである。対面接触する端子部は通常は半田付によって電気的に確実に結合されるが、それは条件ではない。
【００１８】
なお前記端子類は、以上のような、いわゆる端子の外に、コンタクト部を備えていないフレーム部材をも含むものとする。該フレーム部材はコンタクト部を備えない点を除いては、上記のいわゆる端子と全く同様のものである。
【００１９】
前記端子類の係止孔又は係止突起は、云うまでもなく、ハウジング側に構成したものとの関係でそれと対となる他方の物（ハウジング側のそれが係止孔であれば、端子類側は係止突起）を選択して構成する。該係止孔は、ハウジング側に構成した係止突起と対応させてそれと良好に係止し得る孔であれば不都合はなく、特定の寸法形状その他に限定されない。また該係止突起もハウジング側に構成した係止孔と対応させてそれと良好に係止し得る突起であれば不都合はなく、特定の寸法形状その他に限定されない。
【００２０】
もっとも該端子類の係止孔又は係止突起は、該端子類の係止面に設けた複数の突起がハウジングの係合面に圧接状態となっている状態で、対応するハウジングの係止突起又は係止孔と相互に正規の係止関係で係止することとなるものである。それ故、その状態で、該係止孔又は係止突起は、該端子類がハウジングに正確に位置決めされるようになる位置関係に、該端子類に設けられている必要がある。
【００２１】
前記突起、即ち、前記端子類の係止面に構成する突起は、当然に対面するハウジングの係合面側に突出させる。該係止面が、そのいずれ部位でも、該突起を介して該係合面に殆ど均一な距離で近接対面するように、該突起はいずれも同一サイズとし、かつ複数個、例えば、３個以上を均一に突設配置するのが適当である。
【００２２】
また該突起は種々の形状に構成することができる。例えば、前記係止面から半球状に突出させた半球状突起、該係止面から楕円球状に突出させた楕円球突起又は該係止面から長方形に切り起こした切り起こし突起等に構成することができる。なおこれ以外の構成であっても、端子類をハウジングに取り付けた場合に、対面するハウジングの係合面に圧接して係止面と該係合面との距離を適切に保持し、これによって該端子類の係止孔又は係止突起と該ハウジングの係止突起又は係止孔とを適正な係止状態に導くことができるものであれば、問題なく採用することができる。
【００２３】
更に又該突起は、以上の機能を適切に果たす観点からそれ自体が弾性を有することが好ましい。或いはそれを構成した端子類が弾性を有し、該突起がハウジングの係合面に弾力的に圧接できることが好ましい。
【００２４】
前記ハウジングは、これに端子類を取り付けた場合に、該端子類の係止面と近接対面す係合面を備え、かつ該端子類の係止孔又は係止突起と係止する係止突起又は係止孔を備えたものである。前記のように、取り付ける端子類が門型で、これをハウジングに跨るように取り付けるものである場合は、該ハウジングは、その上面に端子類の係止面と近接対面する係合面を備え、その両側に端子類の係止孔又は係止突起と係止する係止突起又は係止孔を備えた構成とする。
【００２５】
該係合面は単なる平坦な面に構成すれば良い。もっとも、通常は、該係合面に近接対面状態に配した端子類の係止面を構成する部位がハウジングのその周囲の外面より外方に露出しないように、該係合面をその周囲の面より窪ませた凹部平面に構成しておくのが好ましい。該係合面は又該ハウジングに取り付ける端子類のコンタクト部が係止面付近からハウジング内に延長される構成の場合には、該係合面の一部にそのための開口部を開口する等の必要がある場合もある。
【００２６】
前記ハウジングの係止突起又は係止孔は、云うまでもなく、前記端子類側に構成したものとの関係でそれと対となる他方の物を選択して構成する。前記端子類側に関して述べたところから明らかなように、該係止突起は端子類側に構成した係止孔と対応させてそれと良好に係止し得る突起であれば不都合はなく、特定の寸法形状その他に限定されない。また該係止孔も端子類側に構成した係止突起と対応させてそれと良好に係止し得る孔であれば不都合はなく、特定の寸法形状その他に限定されない。
【００２７】
前記ハウジングの係止突起又は係止孔は、前記端子類の係止面に設けた複数の突起が該ハウジングの係合面に圧接状態となっている状態で、該端子類の係止孔又は係止突起と相互に正規の係止関係で係止するように位置決めしておくべきであり、前記したように、このように位置決めされていることで、該端子類が該ハウジングに取り付けられた場合に、正確に精度高く位置決めされることになる。
【００２８】
また前記ハウジングは、前記端子類のコンタクト部が側部から該ハウジングの内部に延長進入するように構成してある場合は、その側部にその導入用の開口部を構成しておく必要がある。更に該ハウジングには該当する場合には他の端子類その他の構成要素の取付手段を備えさせ、或いはそれ自体を取付対象の基板等に取り付けるための取付手段を構成しておくものとする。
【００２９】
従って本発明のハウジングへの端子類の取付構造によれば、対象の端子類をハウジングに取り付けると、その係止面の突起が該ハウジングの係合面に圧接することになる。そこで該突起は、該係合面から該端子類を該ハウジングの係合面から離間させようとする方向の反作用を受け、これにより、該端子類の係止孔又は係止突起は前記ハウジングの係止突起又は係止孔と相互に引き合う関係となり、相互の所定の部位で固く緊密に結合することになる。こうして該端子類は該ハウジングの所定の部位にガタ付きなく精度高く取り付けられることになる。また本発明のハウジングへの端子類の取付構造は、その構成上、これを適用したコネクタの寸法が拡大するような虞のないものでもある。
【実施例】
【００３０】
この実施例のハウジングへの端子類の取付構造はジャックに適用した物であり、基本的に、図３(a)〜(d)に示すように、上面に周囲より僅かに低い平坦な係合面１を備え、かつ両側面に同様に僅かに周囲より凹んだ係合凹部２、２を構成し、それらの係合凹部２、２に各々係止突起３を突出させたハウジング４と、図５(a)〜(f)に示すように、基本的に門型で、その上板部５の下面を係止面５ａとし、その両側に垂下する両側板６、６に各々係止孔７を開口し、かつ該両側板６、６の最下部から各々外方に張り出す端子部８を備え、更に前記係止面５の四隅に下方に膨らむ突起９、９…を配したフレーム１０とで構成したものである。
【００３１】
前記ハウジング４は、図１(a)〜(d)及び図３(a)〜(d)に示すように、絶縁性のプラスチックで成形した概ね直方体状の部材であり、その正面にはプラグ挿入口１１が開口し、かつそれ自体を取付対象の基板に位置決めする取付用突起１２、１２を備え、更に前記フレーム１０の外に取り付ける、二つの端子の取付用の取付手段を備えているものである。
【００３２】
該ハウジング４の係合面１は、図１(b)〜(d)及び図３(b)〜(d)に示すように、該ハウジング４の上面の若干後部寄りの位置に、該ハウジング４の長さ方向に長い長方形に形成した平坦面であり、その両側から側部側に前記係合凹部２、２が連続する状態に構成してある。該係合凹部２、２は該係合面１の側部幅より幅狭で、該係合面１の側部の若干後部寄りの位置から該ハウジング４の側面側に連続すべく構成したものである。また該係合凹部２、２の中央部やや下方よりの位置には、各々前記係止突起３が突設してあるものである。
【００３３】
両側の係止突起３、３は、特に図１(c)、(d)、図２(a)、図３(b)〜(d)及び図４に示すように、その上部を下向き斜面に、先端及び両側を垂直面に、かつ下部を水平面３ａに構成した突出部であり、その下部の水平面３ａに前記フレーム１０の係止孔７の下辺を係止させるように構成したものである。
【００３４】
前記フレーム１０は、導電性かつ若干の弾性を有する金属板材で構成した構成要素であり、図１(a)〜(d)、図２(a)、(b)及び図５に示すように、かつ先に述べたように、基本的に門型に構成したものである。該フレーム１０の上板部５は、これが配されるハウジング４の係合面１の平面形状寸法より僅かに小さい長方形をなし、該上板部５の裏面が、先に述べたように、係止面５ａである。前記両側板６、６は、該上板部５の両側から垂下する帯板状の構成要素であり、その幅も各々ハウジング４の係合凹部２、２に対応すべくそれより僅かに小寸法としたものである。前記端子部８は、該各側板６、６の最下端中央部からそれぞれ外方にかつ前記上板部５と平行に張り出した板状の構成要素であり、該側板６より小幅寸法に形成した部材である。
【００３５】
前記突起９、９…は、先に述べ、かつ図１(b)、(d)、図２(b)及び図５(a)〜(f)に示すように、前記係止面５ａの四隅に下方に膨出すべく配した構成要素であり、この実施例では、同図に示すように、該係止面５ａを構成する上板部５の四隅を下方に半球状に突出させて構成したものである。
【００３６】
前記係止孔７は、先に述べ、かつ図１(c)、(d)、図２(a)及び図５(c)、(d)、(f)に示すように、前記両側板６、６の中央部やや下方に開口した横長長方形の開口部であり、より正確には、前記ハウジング４に所定の態様でフレーム１０を配した場合に、その係止面５ａの突起９、９…が該ハウジング４の係合面１に圧接した状態で、該係止孔７、７の下辺が該ハウジング４の係合凹部２、２に配した各係止突起３、３の下部の水平面３ａに緊密に係止する位置関係に開口する開口部である。
【００３７】
従ってこの実施例のハウジングへの端子類の取付構造では、次のような簡単な組み込み作業で、ハウジング４にフレーム１０を取り付けることができる。
【００３８】
即ち、フレーム１０の上板部５の係止面５ａをハウジング４の係合面１に対面させ、該ハウジング４にフレーム１０を跨らせる態様で、その両側板６、６を該ハウジング４の各係合凹部２、２に対応させ、かつこれらをスライド下降させて前記係止面５ａの四隅の突起９、９…を該係合面１に圧接させると同時に、該両側板６、６の各係止孔７、７に該係合凹部２、２に突設した係止突起３、３を進入させ、特に図１(c)、(d)及び図２(a)に示すように、その水平面３ａ、３ａに該係止孔７、７の下辺を各々緊密に係止させることができる。
【００３９】
なおこの作業と前後して、他の二つの端子もハウジング４にその取付手段を利用して取り付けるのは云うまでもない。図中、１３は他の端子の端子部であり、１４は更に他の端子の端子部である。１５は端子部１３を備えた端子のコンタクト部である。
【００４０】
従ってこの実施例のハウジングへの端子類の取付構造によれば、前記フレーム１０を、前記のように、ハウジング４に取り付けると、その係止面５ａの突起９、９…が該ハウジング４の係合面１に圧接することになり、その両側板６、６に開口した係止孔７、７の下辺が、前記したように、ハウジング４の係合凹部２、２に突設した係止突起３、３の下面である水平面３ａ、３ａに緊密に係止することとなり、フレーム１０は該ハウジング４にガタ付きなく正確に位置決め固定されることになる。
【００４１】
そのため、該フレーム４の両側板６、６の最下部から外方に張り出した端子部８、８もまたガタ付きなく正確に位置決めされることになる。特に高さ方向の位置決めが正確になされ、他の同様に正確に配された端子の端子部１３、１４と同一平面中に正確に位置させることができることになる。
【００４２】
従って、例えば、この構成のジャックを対象基板１６に取り付ける場合は、図１(d)に示すように、それぞれの端子部８、８、１３、１３、１４、１４の全てを該基板１６の対応する半田ペースト施用部位１７、１７…に正確に密着させて半田付けすることが可能となり、接合不良による不良率を極度に低下させることができる。
【００４３】
更に以上のような精度高い取り付けを実現するためにハウジング４のサイズを大きくするような問題を生じさせることもない。
【図面の簡単な説明】
【００４４】
【図１】(a)は実施例のジャックの正面図、(b)は平面図、(c)は左側面図、(d)は基板（部分）に配した状態のジャックの斜視図。
【図２】(a)は図１(b)のＡ−Ａ線断面図、(b)は図１(b)のＢ−Ｂ線断面図。
【図３】(a)はハウジングの正面図、(b)は平面図、(c)は左側面図、(d)は斜視図。
【図４】図３(c)のＣ−Ｃ線断面図。
【図５】(a)はフレームの正面図、(b)は平面図、(c)は左側面図、(d)は右側面図、(e)は(b)のＤ−Ｄ線断面図、(f)は(c)のＥ−Ｅ線断面図。
【符号の説明】
【００４５】
１    係合面
２    係合凹部
３    係止突起
３ａ  水平面
４    ハウジング
５    上板部
５ａ  係止面
６    側板
７    係止孔
８    端子部
９    突起
１０  フレーム
１１  プラグ挿入口
１２  取付用突起
１３、１４  他の端子の端子部
１５  コンタクト部
１６  基板
１７  半田ペースト施用部位
【図１】
2006294311.tif 000003
【図２】
2006294311.tif 000004
【図３】
2006294311.tif 000005
【図４】
2006294311.tif 000006
【図５】
2006294311.tif 000007